(57)【要約】      （修正有）【課題】イモビライザを用いた照合に基づく盗難防止制御の実行および解除を可能とすること。【解決手段】制御ユニット１は、盗難防止制御の解除状態で、非常用キー４によりイグニッションスイッチ１０１がＯＮからＯＦＦに切り換えられたとき、イモビＩＤコードの照合を行ない、照合成立の場合は、第１設定時間後にドアロック装置３１をロック状態として盗難防止制御を開始し、照合非成立で盗難防止制御の解除状態を維持し、かつ、盗難防止制御の実行時に、ドアロック装置のロック解除が成されたときに、第２設定時間内に、非常用キー４のステアリングキーシリンダ６への差し込みがあった場合、イモビＩＤコードの照合を行ない、照合成立で、盗難防止制御を解除し、照合不成立および第２設定時間内に非常用キー４によるイグニッションスイッチ１０１のＯＦＦからＯＮへの切り換えがなかった場合に盗難防止制御を再開する。【選択図】図１
2010137751.tif 000002
【特許請求の範囲】
【請求項１】
車両のドアロック装置をロック状態としたときに、盗難防止制御を開始し、この盗難防止制御の実行時に、不正なロック解除が成された場合には、あらかじめ設定された警報作動を行なう制御ユニットを備えた盗難防止制御装置であって、
運転席近傍に、トランスポンダ駆動電波を出力するとともに、応答出力されたトランスポンダ信号から固有のイモビＩＤコードを取得するイモビライザと、このイモビライザに前記トランスポンダ駆動電波を出力させる駆動電波出力指令手段と、が設けられ、
前記トランスポンダ駆動電波により駆動されてあらかじめ設定された固有のイモビＩＤコードを示すトランスポンダ信号を応答出力するトランスポンダ送受信回路が、前記ドアロック装置のロックおよびロック解除を行なうキーに設けられ、
前記制御ユニットは、前記盗難防止制御の解除状態で、前記駆動電波出力指令手段による出力指令が行なわれたときには、前記イモビライザからトランスポンダ駆動電波を出力させ、得られたトランスポンダ信号により前記イモビＩＤコードの照合を行ない、照合成立の場合は、あらかじめ設定された第１設定時間内に盗難防止制御を開始する処理を行ない、照合非成立の場合は、盗難防止制御の解除状態を続行し、
かつ、前記盗難防止制御の実行時に、あらかじめ設定された解除操作が行なわれたときには、一時的に盗難防止制御を解除し、かつ、あらかじめ設定された第２設定時間内に、前記駆動電波出力指令手段による出力指令に伴う前記イモビＩＤコードの照合が成立した場合は、盗難防止制御を解除し、前記第２設定時間内の照合が不成立の場合は、盗難防止制御に復帰させる処理を実行することを特徴とする盗難防止制御装置。
【請求項２】
前記キーは、電池駆動により固有の電子ＩＤ信号の送信を行なう携帯機を含み、
前記制御ユニットは、前記携帯機との電子ＩＤ照合に基づいて、前記ドアロック装置のロックとロック解除とを切り換えるとともに、前記ロック時に、前記盗難防止制御を開始し、前記ロック解除時に、前記盗難防止制御の解除を行なう処理を並列に実行することを特徴とする請求項１に記載の盗難防止制御装置。
【請求項３】
前記盗難防止制御の実行時に、前記キーによる前記ロック解除が行なわれた場合、前記盗難防止制御の一時的な解除を報せる報知手段を設けたことを特徴とする請求項１または請求項２に記載の盗難防止制御装置。
【請求項４】
前記イモビＩＤコードの照合成立により前記盗難防止制御を開始する場合に、この盗難防止制御の開始を報知する報知手段を設けたことを特徴とする請求項１〜請求項３のいずれか１項に記載の盗難防止制御装置。
【請求項５】
前記キーは、前記運転席の近傍に設けられたキーシリンダに差し込んで駆動源の始動が可能な機械式のキーを含み、
前記イモビライザは、前記キーシリンダに差し込み状態の前記キーと前記トランスポンダ駆動電波の入出力可能に設置され、
前記駆動電波出力指令手段が、前記キーを前記キーシリンダに差し込んだ状態の操作に応答して出力指令を出力する手段であることを特徴とする請求項１〜請求項４のいずれか１項に記載の盗難防止制御装置。
【請求項６】
前記解除操作は、前記キーを用いて前記ドアロック装置を機械的にロック解除する操作であることを特徴とする請求項１〜請求項５のいずれか１項に記載の盗難防止制御装置。
【発明の詳細な説明】
【技術分野】
【０００１】
本発明は、不正にドアロックを解除した場合に、それを報せる警報作動を行なう盗難防止装置に関する。
【背景技術】
【０００２】
従来、車両の盗難防止を図るものとして、インテリジェントキーシステムなどと称されるように、携帯機と車両とで固有のＩＤコードを示す信号をやり取りして、自動的にロックおよびロック解除を行なう装置が、例えば、特許文献１などにより知られている。
【０００３】
この従来装置では、ドアロック指令信号あるいはドアロック解除指令信号が出力された場合に、車両側から携帯機にリクエスト信号を出力し、所定時間以内に携帯機から、あらかじめ登録されたＩＤコードを有したＩＤ信号が送られてきたら、盗難防止制御状態および盗難防止制御解除状態に切り換えるようになっている。
そして、盗難防止制御状態では、不正なドアロック解除が行なわれた場合には、ホーンを吹鳴させたりハザードランプを点滅させたりする警報作動を実施して、盗難防止を図る。
【０００４】
また、これとは別に、従来、駆動源を始動させる際に、不正な始動を禁止するイモビライザと呼ばれる盗難防止装置も知られている。
この盗難防止装置は、車両のキーシリンダ側に設けられたイモビライザと、キー側に設けられたトランスポンダ送受信回路とを備えている。そして、キーをキーシリンダに差し込んだときに、イモビライザからトランスポンダ駆動電波を出力し、この電波でキー側に設けたトランスポンダ送受信回路を発電させてトランスポンダ信号を出力させる。イモビライザでは、このトランスポンダ信号を復調させてこの信号が有する固有のコード（これを本明細書ではイモビＩＤコードと称する）を取得する。
制御ユニットでは、イモビＩＤコードが、あらかじめ記憶部に記憶された登録ＩＤコードと一致するか照合し、照合がとれた場合に、駆動源の始動を許可する。
したがって、正規のキー以外では、照合が成立せず、駆動源の始動が許可されず、不正な駆動源の始動を防止できる。
【特許文献１】特許第４０７４１７９号公報
【発明の開示】
【発明が解決しようとする課題】
【０００５】
しかしながら、上述のようなインテリジェントキーシステムと称される盗難防止制御装置では、携帯機からの信号の出力作動は、携帯機に搭載された電池の電力を用いて行なうようになっていたため、携帯機の電池が切れた場合、この盗難防止制御と盗難防止制御解除との切り換えを行なうことができなかった。
【０００６】
このため、盗難防止制御の実行開始前に電池切れが生じた場合、盗難防止制御の開始および解除が実行できず、盗難防止性能上で問題がある。
【０００７】
一方、イモビライザ装置は、電池は不要であるが、キーのトランスポンダ送受信回路は、イモビライザから出力されるトランスポンダ駆動電波により駆動できる範囲内でしか信号出力ができず、ドアロックの解除に用いることはできなかった。
【０００８】
本発明は、上述の従来の問題点に着目して成されたもので、イモビライザを用いた照合に基づく盗難防止制御の実行および解除を可能とする電池が不要な新規な盗難防止制御装置を提供し、盗難防止装置の使い勝手の向上を図ることを目的とするものである。
【課題を解決するための手段】
【０００９】
上述の目的を達成するために本発明は、車両のドアロック装置をロック状態としたときに、盗難防止制御を開始し、この盗難防止制御の実行時に、不正なロック解除が成された場合には、あらかじめ設定された警報作動を行なう制御ユニットを備えた盗難防止制御装置であって、運転席近傍に、トランスポンダ駆動電波を出力するとともに、応答出力されたトランスポンダ信号から固有のイモビＩＤコードを取得するイモビライザと、このイモビライザに前記トランスポンダ駆動電波を出力させる駆動電波出力指令手段と、が設けられ、前記トランスポンダ駆動電波により駆動されてあらかじめ設定された固有のイモビＩＤコードを示すトランスポンダ信号を応答出力するトランスポンダ送受信回路が、前記ドアロック装置のロックおよびロック解除を行なうキーに設けられ、前記制御ユニットは、前記盗難防止制御の解除状態で、前記駆動電波出力指令手段による出力指令が行なわれたときには、前記イモビライザからトランスポンダ駆動電波を出力させ、得られたトランスポンダ信号により前記イモビＩＤコードの照合を行ない、照合成立の場合は、あらかじめ設定された第１設定時間内に盗難防止制御を開始する処理を行ない、照合非成立の場合は、盗難防止制御の解除状態を続行し、かつ、前記盗難防止制御の実行時に、あらかじめ設定された解除操作が行なわれたときには、一時的に盗難防止制御を解除し、かつ、あらかじめ設定された第２設定時間内に、前記駆動電波出力指令手段による出力指令に伴う前記イモビＩＤコードの照合が成立した場合は、盗難防止制御を解除し、前記第２設定時間内の照合が不成立の場合は、盗難防止制御に復帰させる処理を実行することを特徴とする盗難防止制御装置とした。
【００１０】
請求項２に記載の発明は、請求項１に記載の盗難防止制御装置において、前記キーは、電池駆動により固有の電子ＩＤ信号の送信を行なう携帯機を含み、前記制御ユニットは、前記携帯機との電子ＩＤ照合に基づいて、前記ドアロック装置のロックとロック解除とを切り換えるとともに、前記ロック時に、前記盗難防止制御を開始し、前記ロック解除時に、前記盗難防止制御の解除を行なう処理を並列に実行することを特徴とする盗難防止制御装置とした。
【００１１】
請求項３に記載の発明は、請求項１または請求項２に記載の盗難防止制御装置において、前記盗難防止制御の実行時に、前記キーによる前記ロック解除が行なわれた場合、前記盗難防止制御の一時的な解除を報せる報知手段を設けたことを特徴とする盗難防止制御装置とした。
【００１２】
請求項４に記載の発明は、請求項１〜請求項３のいずれか１項に記載の盗難防止制御装置において、前記イモビＩＤコードの照合成立により前記盗難防止制御を開始する場合に、この盗難防止制御の開始を報知する報知手段を設けたことを特徴とする盗難防止制御装置とした。
【００１３】
請求項５に記載の発明は、請求項１〜請求項４のいずれか１項に記載の盗難防止制御装置において、前記キーは、前記運転席の近傍に設けられたキーシリンダに差し込んで駆動源の始動が可能な機械式のキーを含み、前記イモビライザは、前記キーシリンダに差し込み状態の前記キーと前記トランスポンダ駆動電波の入出力可能に設置され、前記駆動電波出力指令手段が、前記キーを前記キーシリンダに差し込んだ状態の操作に応答して出力指令を出力する手段であることを特徴とする盗難防止制御装置とした。
【００１４】
請求項６に記載の発明は、請求項１〜請求項５のいずれか１項に記載の盗難防止制御装置において、前記解除操作は、前記キーを用いて前記ドアロック装置を機械的にロック解除する操作であることを特徴とする盗難防止制御装置とした。
【発明の効果】
【００１５】
本発明の盗難防止制御装置では、盗難防止制御を開始する場合、運転者は、駆動電波出力指令手段により出力指令させ、運転席近傍に設けられたイモビライザを用いてイモビＩＤ照合を行なった後、第１設定時間以内に、車外に出る。
この場合、制御ユニットでは、駆動電波出力指令手段の出力指令を受けて、イモビライザからトランスポンダ駆動電波を出力する。このとき、キーがイモビライザの近傍に配置されていれば、自家発電による作動によりトランスポンダ送受信回路からトランスポンダ信号を応答出力する。制御ユニットでは、イモビライザがトランスポンダ信号から取得したイモビＩＤコードの照合を行ない、照合が成立したら、第１設定時間後に、盗難防止制御が開始される。
この盗難防止制御が実行されている状態では、不正にドアロック装置のロック解除を行なうと、第２設定時間が経過した後、警報作動が実行される。
【００１６】
盗難防止制御を解除するには、正規のキーを用いて、ドアロック装置のロック解除を行ない、第２設定時間が経過する前に、運転席に乗り込んで、正規のキーと運転席近傍のイモビライザとで、イモビＩＤコードの照合を行ない、照合が成立すると、盗難防止制御が解除される。
この場合、制御ユニットでは、正規のキーを用いたドアロック装置のロック解除操作が行なわれると、一時的に、盗難防止制御が解除され、イモビライザを作動させ、第２設定時間が経過する前に、駆動電波出力指令手段による出力指令を受けて、キー側のトランスポンダ送受信回路との送受信によりイモビＩＤコードの照合を行ない、照合が成立すると盗難防止制御を完全解除し、不成立で、盗難防止制御を再開する。
【００１７】
以上のように、本発明では、既存のイモビライザシステムを利用して、固有のイモビＩＤ照合に基づいて、盗難防止制御の開始と解除の切り換えが可能となる。
したがって、電池切れの問題なく盗難防止制御の実行と解除の切り換えが可能であり、使い勝手が向上する。
【００１８】
さらに、請求項２に記載の発明では、通常は、キーにおいて、電池駆動の携帯機の機能による電子ＩＤ照合により盗難防止制御の実行および解除の切り換えを行ない、携帯機の電池切れの際には、イモビライザを用いた盗難防止制御の実行および解除を実行できる。したがって、電池駆動の携帯機を用いた利便性を確保しつつ、携帯機の電池切れの際にも、イモビＩＤ照合に基づく盗難防止制御の開始および解除が可能であり、使い勝手を高めることができるとともに、高い盗難防止性を確保できる。
請求項３に記載の発明では、盗難防止制御を解除する際に、ドアロック装置のロック解除を行なって、一時的に盗難防止制御の解除が成される際に、報知手段により、これを報知する。
したがって、運転者は、この報知から第２設定時間が経過するまでに、運転席の近傍において、イモビライザを用いた照合を行なわなければ、盗難防止制御が再開されて警報作動が実行されることを認識できるとともに、運転者は、この報知を第２設定時間の経過を認識する目安とすることができる。
よって、運転者が、ドアロック装置のロック解除後に、イモビライザによる照合の実行を忘れるなどの不具合の発生を抑制できる。
【００１９】
請求項４に記載の発明では、イモビライザ機能を用いて盗難防止制御を開始するのにあたり、イモビライザによる照合が成立した際には、報知手段により、盗難防止制御に移行することを報知する。
したがって、運転者は、この照合成立から、第１設定時間が経過する前に、車外に出てドアを閉じるなど盗難防止制御の開始が可能な状態にする必要があることを認識できるとともに、運転者は、この報知を第１設定時間の経過を認識する目安とすることができる。
よって、運転者が車内に留まっている間に、盗難防止制御が開始される不具合を防止できる。
請求項５に記載の発明では、運転者は、盗難防止制御を開始する場合、運転席近傍のキーシリンダにキーを差し込んだ状態であらかじめ設定された操作を行なうことにより、出力指令が成される。
したがって、駆動源の駆動を停止するなどの操作に連動させることができ、操作性に優れる。
【００２０】
請求項６に記載の発明では、盗難防止制御を解除する場合、キーを用いて、ドアロック装置のロック解除を機械的に行なうことで、盗難防止制御が一時的に解除される。このように、通常、車内に乗り込む際に実行される操作により盗難防止制御の一時的な解除が成されるため、一時解除専用の操作を行なうものと比較して、操作性に優れる。
【発明を実施するための最良の形態】
【００２１】
以下、本発明の実施の形態を図面に基づいて説明する。
本発明の実施の形態の盗難防止制御装置は、車両のドアロック装置（３１）をロック状態としたときに、盗難防止制御を開始し、この盗難防止制御の実行時に、不正なロック解除が成された場合には、あらかじめ設定された警報作動を行なう制御ユニット（１）を備えた盗難防止制御装置であって、運転席近傍に、トランスポンダ駆動電波（ＫＳ）を出力するとともに、応答出力されたトランスポンダ信号から固有のイモビＩＤコードを取得するイモビライザ（２０９）と、このイモビライザ（２０９）に前記トランスポンダ駆動電波（ＫＳ）を出力させる駆動電波出力指令手段（１０１）と、が設けられ、前記トランスポンダ駆動電波（ＫＳ）により駆動されてあらかじめ設定された固有のイモビＩＤコードを示すトランスポンダ信号（ＯＴＳ）を応答出力するトランスポンダ送受信回路（２１）が、前記ドアロック装置（３１）のロックおよびロック解除を行なうキー（２，４）に設けられ、前記制御ユニット（１）は、前記盗難防止制御の解除状態で、前記駆動電波出力指令手段（１０１）による出力指令が行なわれたときには、前記イモビライザ（２０９）からトランスポンダ駆動電波（ＫＳ）を出力させ、得られたトランスポンダ信号（ＯＴＳ）により前記イモビＩＤコードの照合を行ない、照合成立の場合は、あらかじめ設定された第１設定時間内に盗難防止制御を開始する処理を行ない、照合非成立の場合は、盗難防止制御の解除状態を続行し、かつ、前記盗難防止制御の実行時に、あらかじめ設定された解除操作が行なわれたときには、一時的に盗難防止制御を解除し、かつ、あらかじめ設定された第２設定時間内に、前記駆動電波出力指令手段（１０１）による出力指令に伴う前記イモビＩＤコードの照合が成立した場合は、盗難防止制御を解除し、前記第２設定時間内の照合が不成立の場合は、盗難防止制御に復帰させる処理を実行することを特徴とする盗難防止制御装置である。
【実施例１】
【００２２】
以下に、図１〜図４に基づいて、この発明の最良の実施の形態の実施例１の盗難防止制御装置Ａについて説明する。
【００２３】
この実施例１の盗難防止制御装置Ａは、いわゆるインテリジェントキーシステムと、イモビライザシステムとの２種類の照合システムを備えている。
【００２４】
両システムについて簡単に説明すると、インテリジェントキーシステムは、図１に示す制御ユニット１と携帯機２との双方向通信による電子ＩＤ照合結果に基づいて、機械的なキーを使用することなく、図外のドアおよびステアリングのロックおよびロック解除の切り換え、盗難防止制御の開始および解除、図外のエンジンやモータなどの駆動源の始動および停止の切り換えを制御する周知のものである。
【００２５】
また、イモビライザシステムは、インテリジェントキーシステムの電子ＩＤとは別個に、後述する携帯機２の非常用キー４に与えられた固有のイモビＩＤコードを、後述のイモビライザ２０９により取得し、このイモビＩＤコードを、あらかじめ記憶された登録ＩＤコードと照合し、照合成立時に、図外の駆動源の始動を許可するシステムである。本実施例１では、このイモビライザシステムによるイモビＩＤコードの照合も、盗難防止制御の開始および解除に用いるようにしている。
【００２６】
上述のインテリジェントキーシステムおよびイモビライザシステムを構成するものとして、本実施例１では、車両側に設けられた、制御ユニット１と、携帯機（キー）２と、を備えている。
【００２７】
制御ユニット１は、第１インタフェース回路１１と、第２インタフェース回路１２と、車載電源２００に接続された電源回路１３と、いわゆるマイクロコンピュータから成る制御部１４と、アンテナドライバ１５およびアンテナ１６と、を備えている。
【００２８】
第１インタフェース回路１１には、ドアロックスイッチ１０３、リクエストスイッチ１０４を含むスイッチ群１００が接続されている。
【００２９】
イグニッションスイッチ１０１は、図外のステアリングに設けられてステアリングをロックおよびロック解除するステアリングキーシリンダ６に設けられている。なお、ステアリングキーシリンダ６は、後述の機械的な非常用キー４を差し込んで、ＯＮ、ＯＦＦのポジションに切り換えることができる。また、ステアリングキーシリンダ６を、非常用きー４により、イグニッションスイッチ１０１をＯＦＦとするポジションに操作した場合には、ステアリングロック装置３２が、ロック状態となる。
ドアロックスイッチ１０３は、ドアロック装置３１がロック解除状態でＯＦＦロック状態でＯＮとなるスイッチである。なお、本実施例１では、ドアロック装置３１は、後述する非常用キー４を用いて、図外のドアに設けられた図外のドアキーシリンダを操作して、機械的にロックおよびロック解除できるとともに、ロックコントローラ２０１の制御に基づくアクチュエータの駆動で、ロックおよびロック解除できる。
リクエストスイッチ１０４は、図外のドアのドアハンドル近傍に設けられたスイッチであり、ドアロック装置３１のロックおよびロック解除を行なうときに、使用者がＯＮ操作を行なうスイッチである。
【００３０】
第２インタフェース回路１２には、ロックコントローラ２０１、エンジンコントローラ２０２、車外ブザー２０３、車内ブザー２０４、インジケータ２０５、ハザードランプ２０６、ホーン２０７、エントリチューナ２０８、イモビライザ２０９が接続されている。
【００３１】
ロックコントローラ２０１は、ドアロック装置３１のロックおよびロック解除を制御するとともに、図外のステアリングコラムをロックするステアリングロック装置３２のロックおよびロック解除を制御するコントローラである。
エンジンコントローラ２０２は、図外の駆動源の始動および停止を切り換えるコントローラである。
【００３２】
車外ブザー２０３は、車外に設けられて運転者に対し、後述する盗難防止制御の一時的な解除を実行することを報せるブザー音を吹鳴するブザーである。
車内ブザー２０４は、車内に設けられて運転者に対し、後述するが第１設定時間Ｔ１の経過後に盗難防止制御を開始することを報せるブザー音を吹鳴するブザーである。
インジケータ２０５は、図外のインストルメントパネルやコンソールなどに設けられ、運転者に対し、携帯機２の電池切れや、第１設定時間Ｔ１の経過後に盗難防止制御を開始することや、および第２設定時間Ｔ２が経過する前に非常用キー４をステアリングキーシリンダ６に差し込むことを報せる表示を行なう。
【００３３】
ハザードランプ２０６は、周知の非常点滅用のランプであり、本実施例１では、警報作動時に点滅される。
ホーン２０７は、他者に注意を促す警笛を吹鳴するもので、本実施例１では、警報作動時に、吹鳴される。
【００３４】
エントリチューナ２０８は、チューナ回路２０８ａを備え、携帯機２から送信されたインテリジェントキーシステムに用いる電子ＩＤ信号ＲＦＳを受信して、固有の電子ＩＤコードを取得する。
【００３５】
イモビライザ２０９は、イモビ送受信回路２０９ａおよびアンテナ２０９ｂを備えている。イモビ送受信回路２０９ａは、ステアリングキーシリンダ６の近傍に設置され、携帯機２の後述するトランスポンダ送受信回路２１を駆動させるトランスポンダ駆動電波ＫＳの出力、および、トランスポンダ送受信回路２１から返信されたトランスポンダ信号ＯＴＳを受信し、このトランスポンダ信号ＯＴＳから携帯機固有のイモビＩＤコードを取得する機能を有する。
【００３６】
アンテナドライバ１５は、制御ユニット１の制御に基づいて、携帯機２に向けて、電子ＩＤ信号ＲＦＳの出力を要求するリクエスト信号ＬＦＳを、アンテナ１６から出力するものである。なお、アンテナ１６は、車両の複数箇所に設置されている。
【００３７】
携帯機２は、前述のリクエスト信号ＬＦＳを受信した時に、電子ＩＤ信号ＲＦＳを出力し、かつ、トランスポンダ駆動電波ＫＳの入力時にトランスポンダ信号ＯＴＳを出力するもので、トランスポンダ送受信回路２１、携帯機側制御部２２、携帯機側送信回路２３、ロックスイッチ２４、ロック解除スイッチ２５を備えている。
【００３８】
トランスポンダ送受信回路２１は、イモビライザ２０９からトランスポンダ駆動電波ＫＳを入力したときに、電磁結合による発電を行なって、この電力によりトランスポンダ信号ＯＴＳを出力する応答機能を有している。
【００３９】
携帯機側送信回路２３は、電子ＩＤ信号ＲＦＳ、ロック指令信号ＬＫＳ、ロック解除指令信号ＵＬＳを出力する。
電子ＩＤ信号は、携帯機固有の電子ＩＤコードを示す信号であり、リクエスト信号ＬＦＳを入力し、このリクエスト信号ＬＦＳから取得した電子ＩＤコードがあらかじめ設定されたコードである場合、携帯機側制御部２２の制御に基づいて出力される。
【００４０】
携帯機側制御部２２は、前述の電子ＩＤコードの照合が成立したときに携帯機側送信回路２３から電子ＩＤ信号ＲＦＳを出力させる処理や、ロックスイッチ２４が投入されたときに、携帯機側送信回路２３からロック指令信号ＬＫＳを出力させる処理や、ロック解除スイッチ２５が投入されたときに、携帯機側送信回路２３からロック解除指令信号ＵＬＳを出力させる制御を実行する。
【００４１】
次に、制御部１４が実行する盗難防止制御について簡単に説明する。
盗難防止制御は、通常は、携帯機２のインテリジェントキーシステム機能による電子ＩＤ照合の成立を伴ってドアロック装置３１がロックされた時点から開始され、この盗難防止制御の実行中に、不正にロック解除が成されたときに、ホーン２０７を吹鳴させるとともに、ハザードランプ２０６を点滅させる警報作動を実行する。
また、この盗難防止制御の解除は、通常、携帯機２のインテリジェントキーシステム機能による電子ＩＤ照合の成立を伴ってドアロック装置３１のロックが解除されたときに、成される。
【００４２】
ここで、インテリジェントキーシステムによりドアロックを行なう場合の操作を簡単に説明する。この場合の操作として、本実施例１では、３通りの操作を示す。
１つは、携帯機２を保持して車外に出て、図外のドアに設けられたリクエストスイッチ１０４を押す操作である。
２つ目は、車外で携帯機２のロックスイッチ２４を投入して携帯機２からロック指令信号ＬＫＳを出力する操作である。
３つ目は、携帯機２を保持して、車両近傍のあらかじめ設定された範囲外に出る操作である。
【００４３】
上記のいずれかの操作が成された場合、制御ユニット１からリクエスト信号ＬＦＳが出力され、これに応じて携帯機２から電子ＩＤ信号ＲＦＳが出力され、制御ユニット１において、電子ＩＤ信号ＲＦＳから取得された電子ＩＤコードが、正規のＩＤコードと照合する。 この照合が成立した場合、ロックコントローラ２０１がドアロック装置およびステアリングロック装置をロック状態とする指令を出力する。
【００４４】
次に、盗難防止制御を解除する場合、インテリジェントキーシステム機能による解除は、以下の２操作により行なうことができる。
１つは、運転者が、携帯機２を保持して、リクエストスイッチ１０４を投入する操作である。
もう１つは、携帯機２のロック解除スイッチ２５を投入して、携帯機２からロック解除信号を出力させる操作である。
【００４５】
上記のいずれかの操作が行なわれた場合、制御ユニット１からリクエスト信号ＬＦＳが出力され、これに応じて携帯機２から電子ＩＤ信号ＲＦＳが出力され、制御ユニット１において、電子ＩＤ信号ＲＦＳから取得された電子ＩＤコードを正規のＩＤコードと照合する。
この照合が成立した場合、制御ユニット１は、ロックコントローラ２０１により、ドアロック装置およびステアリングロック装置のロック解除を指令する。
【００４６】
さらに、制御ユニット１は、携帯機２の電池が切れているか否かを判定する処理を実行している。
この電池切れ判定処理を図２のフローチャートに基づいて説明する。
この電池切れ判定処理は、駆動源を始動させるとスタートする。
最初のステップＳ１では、あらかじめ設定された電池切れ判定時間Ｔｋが経過したか否か判定し、電池切れ判定時間Ｔｋが経過したらステップＳ２に進んで、リクエスト信号ＬＦＳの出力を行なう。また、電池切れ判定時間Ｔｋが経過していない場合は、１回の処理を終了する。なお、電池切れ判定時間Ｔｋは、数分〜数十分程度の時間であり、本実施例１では、２０分程度の時間とする。
【００４７】
続くステップＳ３では、リクエスト信号ＬＦＳに応答して、携帯機２から電子ＩＤ信号ＲＦＳの入力があったか否か判定し、入力があった場合、１回の処理を終了する。一方、電子ＩＤ信号ＲＦＳの入力がなかった場合、携帯機２から電子ＩＤ信号ＲＦＳを出力する電力を有していないとみなして、電池切れと判定し、さらに、インジケータ２０５により電池切れを表示する。
すなわち、駆動源を始動させた時点では、携帯機２に電池が切れておらず、正常に始動できたのに、途中で携帯機２の電池が切れた場合、この処理に基づいて、電池切れと判定でき、かつ、電池切れがインジケータ２０５で表示される。
【００４８】
また、本実施例１では、携帯機２の電池が切れて、携帯機側制御部２２および携帯機側送信回路２３が作動できず、上述のインテリジェントキーシステム機能を実行できなくなった場合、非常用キー４を用いて、盗難防止制御の開始および解除を行なうことができる。
【００４９】
そこで、まず、盗難防止制御を開始する処理の流れを、図３のフローチャートに基づいて説明する。
最初のステップＳ１１では、携帯機２の電池切れ判定が成されているか否か判定し、電池切れ判定が成されている場合は、ステップＳ１５に進み、電池切れ判定が成されていない場合は、ステップＳ１２に進む。
【００５０】
ステップＳ１２では、携帯機２のインテリジェントキーシステム機能によるロック指令がなされたか否か判定し、ＹＥＳの場合はステップＳ１３に進み、ＮＯの場合はステップＳ１５に進む。
ステップＳ１３では、ドアロック装置３１およびステアリングロック装置３２をロック作動させ、続く、ステップＳ１４で、盗難防止制御を開始する。
一方、ステップＳ１５では、イグニッションスイッチ１０１が、ＯＮからＯＦＦに切り換わったか否か判定する。
【００５１】
イグニッションスイッチ１０１のＯＮ→ＯＦＦの切り換わりを検出した場合、次のステップＳ１６で、イモビライザ２０９からトランスポンダ駆動電波ＫＳを出力する。このように、イグニッションスイッチ１０１をＯＮからＯＦＦに切り換わることで、トランスポンダ駆動電波ＫＳが出力されることから、イグニッションスイッチ１０１および制御部１４においてステップＳ１５、Ｓ１６の処理を実行する部分が、駆動電波出力指令手段に相当する。
【００５２】
ステアリングキーシリンダ６に非常用キー４が差し込まれた状態では、トランスポンダ送受信回路２１がイモビライザ２０９の近くに存在することから、トランスポンダ送受信回路２１で発電されてトランスポンダ信号ＯＴＳが出力される。この場合、イモビライザ２０９では、受信したトランスポンダ信号ＯＴＳからイモビＩＤコードを取得し、登録された登録ＩＤコードと照合する。
【００５３】
そこで、次のステップＳ１７では、受信したイモビＩＤコードと登録ＩＤコードとの照合が成立したか否か判定し、照合成立の場合、ステップＳ１８に進む。
【００５４】
ステップＳ１８では、この時点から、第１設定時間Ｔ１が経過した後に、盗難防止制御を開始することを、車内ブザー２０４とインジケータ２０５とにより報知する報知作動を実行する。なお、この場合に、第１設定時間Ｔ１の経過後に盗難防止制御を開始することを音声によりこれを報知してもよい。また、この第１設定時間Ｔ１は、運転者が、非常用キー４をステアリングキーシリンダ６から引き抜いて、図外のドアを開けて車外に出て、図外のドアを閉じるのに充分な時間であって、数秒〜数十秒の時間であり、本実施例１では、十数秒とする。
【００５５】
次のステップＳ１９では、ドアロックスイッチ１０３の出力に基づいて、ドアロック装置３１が機械的にロックされたか否か判定し、ロックされたらステップＳ１４に進み、ロックされない場合、ステップＳ２０に進んで、第１設定時間Ｔ１が経過したか否か判定する。また、第１設定時間Ｔ１が経過しない間は、ステップＳ１９に戻る。
【００５６】
次に、図４に示すフローチャートに基づいて、盗難防止制御の解除処理を説明する。なお、この盗難防止制御の解除処理は、盗難防止制御を開始した時点から、開始される。
ステップＳ２１では、携帯機２が電池切れ判定が成されているか否か判定し、電池切れ判定がなされている場合は、ステップＳ２５に進み、電池切れ判定が成されていない場合は、ステップＳ２２に進む。
ステップＳ２２では、携帯機２のインテリジェントキーシステム機能によるロック解除指令の有無を判定し、ロック解除指令があった場合は、ステップＳ２３に進み、ロック解除指令がない場合は、ステップＳ２５に進む。
ステップＳ２３では、ドアロック装置３１およびステアリングロック装置３２のロック解除を行ない、次のステップＳ２４において、盗難防止制御を解除する。
ステップＳ２５では、ドアロックスイッチ１０３がＯＦＦ、すなわち、非常用キー４によりドアロック装置３１が機械的にロック解除されたか否か判定し、ドアロックスイッチ１０２がＯＦＦになった場合は、ステップＳ２６に進む。
【００５７】
ステップＳ２６では、一時的に盗難防止制御を解除するとともに、解除したことを報知する報知作動を行なう。この報知作動は、車外ブザー２０３を吹鳴作動させ、かつ、インジケータ２０５により、第２設定時間Ｔ２内に携帯機２の非常用キー４をステアリングキーシリンダ６に差し込むこと要求する表示を行なう。なお、音声によりこれを案内してもよい。また、第２設定時間Ｔ２は、運転者が、ドアを開けて車内に乗り込み、非常用キー４をステアリングキーシリンダ６に差し込むことができる時間であり、数秒〜数十秒に設定され、本実施例１では、十数秒に設定されている。
【００５８】
続くステップＳ２７では、第２設定時間Ｔ２が経過したか否か判定し、第２設定時間Ｔ２が経過したら、ステップＳ２８に進んで、盗難防止制御を再開させる。この場合、盗難防止制御の再開により、警報作動が実行され、前述のように、ホーン２０７が吹鳴されるとともに、ハザードランプ２０６が点滅される。
【００５９】
一方、ステップＳ２７において、第２設定時間Ｔ２が経過しない間は、ステップＳ２９に進む。ステップＳ２９では、イグニッションスイッチ１０１がＯＦＦからＯＮに切り換えられたか否か、すなわち、非常用キー４がステアリングキーシリンダ６に差し込まれてロック解除操作が行なわれたか否か判定し、ＹＥＳの場合、次のステップＳ３０に進んで、イモビライザ２０９からトランスポンダ駆動電波ＫＳを出力し、さらに、次のステップＳ３１において、携帯機２からのトランスポンダ信号ＯＴＳから取得したイモビＩＤコードを、登録ＩＤコードと照合する。
【００６０】
この照合が成立した場合は、ステップＳ２４に進んで、盗難防止制御の解除を行なう。なお、ステップＳ２９およびステップＳ３１でＮＯの判定の場合は、ステップＳ２７に戻る。したがって、第２設定時間Ｔ２が経過するまでの間に、イグニッションスイッチ１０１がＯＦＦからＯＮに切り換わらない場合、および、イモビＩＤ照合が成立しない場合は、第２設定時間Ｔ２の経過後に、盗難防止制御が再開されて警報作動が実行される。
【００６１】
次に、本実施例１の盗難防止制御装置Ａの状況に応じた使い方を説明する。
まず、盗難防止制御を開始する手順を、携帯機２の電池残量の有無別に説明する。
（電池残量有り）
携帯機２の電池残量が確保されている場合、携帯機２によるインテリジェントキーシステム機能を用いて、ロックおよびロック解除することで、盗難防止制御の開始および解除が成される。
【００６２】
具体的には、ドアロックを行なう場合、運転者は車外に出て、携帯機２を携帯してリクエストスイッチ１０４を押すか、携帯機２のロックスイッチ２４を押すか、携帯機２を携帯して車両から離れる。そのいずれかの操作により、制御ユニット１のアンテナドライバ１５からリクエスト信号ＬＦＳが出力される。
【００６３】
携帯機２では、このリクエスト信号ＬＦＳの入力に対応して電子ＩＤ信号ＲＦＳが出力される。制御ユニット１では、この電子ＩＤ信号ＲＦＳが有する電子ＩＤコードの照合を行なうとともに、携帯機２が車外に存在することを確認し、ドアロック装置３１およびステアリングロック装置３２をロックし、盗難防止制御を開始する（ステップＳ１１→Ｓ１２→Ｓ１３→Ｓ１４の処理の流れに基づく）。
【００６４】
盗難防止制御を解除する場合は、携帯機２のインテリジェントキーシステム機能を用いて、ロック解除を行なう。すなわち、運転者は、携帯機２のロック解除スイッチ２５を押すか、携帯機２を携帯して車外でリクエストスイッチ１０４を押す。
【００６５】
この場合、前述したように、制御ユニット１側からリクエスト信号ＬＦＳが出力されるとともに、携帯機２から電子ＩＤ信号ＲＦＳが出力され、電子ＩＤコードの照合が行なわれ、この照合が成立した場合には、制御ユニット１がロックコントローラ２０１にロック解除の指令を出力させる（ステップＳ２１→Ｓ２２→Ｓ２３→Ｓ２４の処理の流れに基づく）。
【００６６】
（携帯機２の電池が切れた場合）
次に、携帯機２の電池が切れた場合の操作手順を説明する。
携帯機２の電池が切れた場合、運転中に電池が切れた場合は、電池切れ判定処理によりステップＳ１→Ｓ２→Ｓ３→Ｓ４の処理に基づいて、制御ユニット１からリクエスト信号が出力されたときに、携帯機２からの電子ＩＤ信号ＲＦＳの出力がないことから、電池切れと判定される。この場合、制御ユニット１は、インジケータ２０５により運転者に電池切れを報せる。
【００６７】
あるいは、運転者が車外に出て、インテリジェントキーシステム機能を用いて、ドアロックを行なおうとした際に、ドアロックが成されない。
【００６８】
上記のいずれかにより、運転者は、携帯機２の電池切れを知った場合に、盗難防止制御を実行させたいときには、以下の操作を行なう。
すなわち、携帯機２の非常用キー４を、ステアリングキーシリンダ６に差し込んで、イグニッションスイッチ１０１をＯＮからＯＦＦに切り換えた後、第１設定時間Ｔ１が経過する前に、非常用キー４をステアリングキーシリンダ６から引き抜き、車外に出て、ドアロック装置３１を非常用キー４によりロックする。
【００６９】
このように、携帯機２によるインテリジェントキーシステム機能を用いずに、非常用キー４によりイグニッションスイッチ１０１のＯＮ→ＯＦＦの切り換えが成されたら、制御ユニット１では、ステップＳ１１→Ｓ１５→Ｓ１６あるいはステップＳ１１→Ｓ１２→Ｓ１５→Ｓ１６の処理の流れに基づいて、イモビライザ２０９からトランスポンダ駆動電波ＫＳが出力される。
【００７０】
そこで、非常用キー４のトランスポンダ送受信回路２１では、発電してトランスポンダ信号ＯＴＳが出力され、制御ユニット１において、イモビＩＤ照合が行なわれる。そして、このイモビＩＤ照合が成立したら、Ｓ１７→Ｓ１８の処理に基づいて、イモビＩＤ照合が成立したこと、および第１設定時間Ｔ１経過後に盗難防止制御を開始することを、車内ブザー２０４とインジケータ２０５とで報せる。
【００７１】
そして、第１設定時間Ｔ１が経過するまえに、非常用キー４を用いてドアロック装置３１を機械的にロックしたら、ステップＳ１９→Ｓ２０→Ｓ１４の処理に基づいて、盗難防止制御を開始する。
【００７２】
なお、このとき、第１設定時間Ｔ１の残り時間が少なくなるにつれて車内ブザー２０４の吹鳴音の間隔を狭めたり、音声ガイドでガイドしたりして、ロックされること、および盗難防止制御が開始されることを報せるのが好ましい。
【００７３】
ちなみに、非常用キー４以外のスペアキーを用いて、緊急的に、車両の運転を行なっている場合、盗難防止制御を実行せずに、単にドアロック装置３１をロックさせることは可能である。
このような場合、Ｓ１１→Ｓ１２→Ｓ１５→Ｓ１６→Ｓ１７の処理を実行し、ステップＳ１７において、イモビＩＤ照合が不成立であるから、ステップＳ１７からＥＮＤに進み、盗難防止制御は開始されない。この場合、スペアキーを用いて、ドアロック装置３１のドアキーシリンダを操作して、機械的にロックすることが可能である。
【００７４】
次に、携帯機２の電池切れ状態で、盗難防止制御を解除する操作を説明する。
この場合、運転者は、携帯機２の非常用キー４を用いて、ドアに設けられた図示を省略したドアキーシリンダを操作してドアロック装置３１のロック解除を行なった後、第２設定時間Ｔ２が経過する前に、運転席に乗り込んで、非常用キー４により、イグニッションスイッチ１０１をＯＦＦからＯＮに切り換える。
【００７５】
この操作に応じ、まず、ステップＳ２１→Ｓ２５→Ｓ２６あるいはステップＳ２１→Ｓ２２→Ｓ２５→Ｓ２６の処理の流れに基づいて、非常用キー４でドアロック装置のロック解除が成されたタイミングで、車外ブザー２０３が吹鳴され、一時的に盗難防止制御を解除するとともに、これを報せる。なお、このとき、車内ブザー２０４やインジケータ２０５や音声案内により、第２設定時間Ｔ２が経過する前に、非常用キー４をステアリングキーシリンダ６に差し込むことを促させる案内を行なってもよい。
【００７６】
そして、この第２設定時間Ｔ２が経過する前に、非常用キー４がステアリングキーシリンダ６に差し込まれた場合は、ステップＳ２７→Ｓ２９→Ｓ３０の処理の流れに基づいて、イモビＩＤ照合が実行され、このイモビＩＤ照合が成立した場合は、ステップＳ３１→Ｓ２４の処理に基づいて、盗難防止制御が解除され、警報作動は実行されない。
【００７７】
一方、不正なキーを用いて、ドアロック装置３１のロック解除を行ない、さらにこのキーをステアリングキーシリンダ６に差し込み駆動源を始動させようとした場合、Ｓ２１→Ｓ２２→Ｓ２５→Ｓ２６→Ｓ２７→Ｓ２９→Ｓ３０→Ｓ３１→Ｓ２７→Ｓ２８あるいはステップＳ２１→Ｓ２２→Ｓ２５→Ｓ２６→Ｓ２７→Ｓ２８の流れとなり、第２設定時間Ｔ２が経過した後に、盗難防止制御が再開されて、警報作動が実行される。
【００７８】
以下に、本実施例１の盗難防止制御装置Ａの効果を列挙する。
ａ）非常用キー４および既存のイモビライザ２０９を用いて、盗難防止制御の開始および解除を実行可能な新規な盗難防止制御装置Ａを提供でき、使い勝手が向上する。
【００７９】
ｂ）携帯機２が電池切れであっても、非常用キー４を用い、単に、ドアロック装置３１のロックおよびロック解除を行なうだけでなく、イモビＩＤ照合に基づいて、盗難防止制御の開始および解除を行なうことができる。
このため、単に、携帯機２の電池切れ時に、緊急的なロックおよびロック解除のみを行なうものと比較して、盗難防止性能および使い勝手が向上する。
【００８０】
ｃ）非常用キー４を用いてドアロック装置３１のロック解除を行なったときに、車外ブザー２０３により盗難防止制御の一時的な解除を行なったことを報知するようにした。
したがって、運転者は、この報知から第２設定時間Ｔ２が経過するまでに非常用キー４を用いてイグニッションスイッチ１０１をＯＮにしなければ、警報作動が実行されることを認識できるとともに、運転者は、この報知を第２設定時間Ｔ２の経過を認識する目安とすることができる。
よって、運転者が、非常用キー４によりドアロック装置３１のロック解除を行なった後、イグニッションスイッチ１０１の操作を忘れてイモビライザ２０９による照合が不成立となって、警報作動が実行される不具合を防止できる。
加えて、実施例１では、この報知時に、インジケータ２０５でも表示を行なうようにしたため、運転者が、車内に乗り込んだ後に、非常用キー４によるイグニッションスイッチ１０１の操作が促され、いっそう、不要な警報作動の実行が防止される。
【００８１】
ｄ）非常用キー４を用いて、盗難防止制御を開始するのにあたり、非常用キー４によりイグニッションスイッチ１０１のＯＮ→ＯＦＦの切り換えがなされたときに、イモビライザ２０９による照合が成立した場合は、車内ブザー２０４およびインジケータ２０５により、盗難防止制御を開始することを報知するようにした。
したがって、運転者は、この照合成立から、第１設定時間Ｔ１が経過する前に、非常用キー４を用いて、ドアロック装置３１のロックを行なう必要があることを認識できるとともに、運転者は、この報知を第１設定時間Ｔ１の経過を認識する目安とすることができる。
よって、運転者が車内に留まっている間に、盗難防止制御が開始される不具合を防止できる。
【００８２】
ｅ）車両の運転中に、携帯機２の電池が切れた場合、制御ユニット１は、携帯機２との電子ＩＤ照合が不成立となることから、携帯機２の電池切れと判定するようにした。さらに、携帯機２の電池切れ判定時には、制御ユニット１は、インジケータ２０５により、電池切れを表示するようにした。
このように、運転者は、降車前に、携帯機２の電池切れを知ることができ、降車して携帯機２によるインテリジェントキー機能によるロックができないことで電池切れを知るよりも前に、非常用キー４を用いて、盗難防止制御を開始することが可能であり、使い勝手が向上する。
【００８３】
ｆ）盗難防止制御を開始する場合、ステアリングキーシリンダ６に非常用キー４を差し込んで、イグニッションスイッチ１０１をＯＮからＯＦＦに切り換える操作を行なうことにより、トランスポンダ駆動電波ＫＳが出力されるようにした。
したがって、非常用キー４を用いた、通常の、駐車時の操作で、盗難防止制御の処理が開始されるため、マニュアルを読みながらの非常操作などと異なり、操作性に優れる。
【００８４】
ｇ）盗難防止制御を解除する場合、非常用キー４を用いて、ドアロック装置３１のロック解除を機械的に行なうことで、盗難防止制御が一時的に解除され、盗難防止制御を解除する処理が開始される。このように、通常、車内に乗り込む際に実行される操作により盗難防止制御の一時的な解除が成されるため、一時解除専用の操作を行なうものと比較して、操作性に優れる。
【実施例２】
【００８５】
次に、実施例２について説明する。
この実施例２は、携帯機２を用いない例であり、機械式の図示を省略したキーに、実施例１のトランスポンダ送受信回路２１を設けたものを用いて、盗難防止制御の開始および解除を行なうようにした例である。なお、実施例２では、制御ユニット１側では、エントリチューナ２０８、アンテナドライバ１５、アンテナ１６、リクエストスイッチ１０４が省略される。他の構成は、実施例１と同様であるので、説明を省略する。
このような構成では、盗難防止制御の開始は、図５のフローチャートに示すように行なうことができる。なお、実施例１と同じステップ符号は、実施例１と同じ処理を示している。
この場合、図外のキーによりイグニッションスイッチ１０１がＯＮからＯＦＦに切り換わると（Ｓ１５）で、トランスポンダ駆動電波ＫＳが出力され（ステップＳ１６）、イモビＩＤ照合が行なわれる。照合が成立したら（Ｓ１７）、報知作動が実行され（Ｓ１８）、ドアロック装置３１がキーによりロックされたか判定する（Ｓ１９）。このロックが、第１設定時間Ｔ１が経過する前に行なわれると、盗難防止制御が開始される（Ｓ２０→Ｓ１４）。一方、第１設定時間Ｔ１が経過する間に、ドアロック装置３１のロックが成されない場合は、盗難防止制御は開始されない（Ｓ１９→ＥＮＤ）。
また、盗難防止制御の解除は、図６に示すように、実施例１のステップＳ２１〜Ｓ２３を省略した処理で構成することができる。この場合の、運転者の動作および処理の流れは、実施例１と同様である。
【００８６】
この実施例２では、既存のトランスポンダ機能を有したキーと、イモビライザ２０９とを用いただけの簡単な構成で、盗難防止制御を実行できる新規な盗難防止制御装置を提供できる。
【００８７】
以上、図面を参照して、本発明の実施の形態および実施例１，２を詳述してきたが、具体的な構成は、この実施の形態および実施例１，２に限らず、本発明の要旨を逸脱しない程度の設計的変更は、本発明に含まれる。
【００８８】
例えば、実施例１では、携帯機２の電池切れを判定するようにしたが、この判定は省略してもよい。この場合、図３および図４において、ステップＳ１１およびステップＳ２１の電池切れ判定が成されているか否かの判定処理を省略すればよい。
また、この場合、運転者は、盗難防止制御を開始する場合には、携帯機２のインテリジェントキーシステム機能によるロックができないことから、非常用キー４によりイグニッションスイッチ１０１をＯＮ→ＯＦＦに切り換えた後に、第１設定時間Ｔ１が経過する間に、車外に出る操作を行なえば、ステップＳ１２→Ｓ１５→Ｓ１６→Ｓ１７→Ｓ１８→Ｓ１９→Ｓ２０→Ｓ１４の処理となり、盗難防止制御が開始される。また、盗難防止制御の解除時は、運転者は、実施例１と同様に、非常用キー４によりドアロック装置３１のロックを解除した後、第２設定時間Ｔ２が経過する前に、非常用キー４をステアリングキーシリンダ６に差し込んでイグニッションスイッチ１０１をＯＦＦ→ＯＮに切り換える。この場合、ステップＳ２２→Ｓ２５→Ｓ２６→Ｓ２７→Ｓ２９→Ｓ３０→Ｓ３１→Ｓ２４の処理が成され、盗難防止制御が解除される。
【００８９】
また、実施例１では、第１設定時間Ｔ１の経過は、イグニッションスイッチ１０１をＯＮ→ＯＦＦに切り換えた時点からカウントしていたが、これに限定されず、例えば、イモビＩＤ照合の成立後に、非常用キー４がステアリングキーシリンダ６から引き抜かれた時点やドアが開かれた時点からカウントするようにしてもよい。
【００９０】
同様に、実施例１では、第２設定時間Ｔ２の経過は、非常用キー４によりドアロックスイッチ１０３がＯＦＦとなった時点から開始していたが、これに限定されず、例えば、ドアロックスイッチ１０３がＯＦＦとなり、さらに、ＯＮとなった時点からカウントしてもよいし、さらに、その後、ドアが開かれたことが、ドアスイッチのＯＮ、ＯＦＦの切り換わりで検出された時点からカウントしてもよい。
【００９１】
また、実施例１，２では、イモビライザは、ステアリングキーシリンダに設けられたものを示したが、これに限定されない。例えば、ステアリングイモビライザが、図外のインストルメントパネルあるいはコンソールに設置され始動の際には、携帯機を、この図外のステアリングイモビライザに接触あるいは近接させて、イモビＩＤコードの照合を行なった後に、図外のスタータスイッチを投入させて駆動源の始動を行なうようにしたものを用いてもよい。この場合、駆動電波出力指令手段としては、スタータスイッチなどイグニッションスイッチ以外のスイッチを用いることもできる。
【００９２】
また、駆動電波出力指令手段として、ステアリングキーシリンダ６においてイグニッションスイッチ１０１の切り換わりを検出して出力指令するものを示したが、これに限定されず、単に、ステアリングキーシリンダ６へのキーの差し込みを検出するものなど他の手段を用いてもよい。
【図面の簡単な説明】
【００９３】
【図１】本発明の最良の実施の形態の実施例１の盗難防止制御装置Ａを示すブロック図である。
【図２】実施例１の盗難防止制御装置Ａによる携帯機２の電池切れを判定する処理の流れを示すフローチャートである。
【図３】実施例１の盗難防止制御装置Ａによる盗難防止制御を開始する場合の制御ユニット１の処理の流れを示すフローチャートである。
【図４】実施例１の盗難防止制御装置Ａによる盗難防止制御を解除する場合の制御ユニット１の処理の流れを示すフローチャートである。
【図５】実施例２の盗難防止制御装置による盗難防止制御を開始する場合の制御ユニット１の処理の流れを示すフローチャートである。
【図６】実施例２の盗難防止制御装置による盗難防止制御を解除する場合の制御ユニット１の処理の流れを示すフローチャートである。
【符号の説明】
【００９４】
１     制御ユニット
２      携帯機（キー）
４     非常用キー（キー）
６     キーシリンダ
２１   トランスポンダ送受信回路
３１   ドアロック装置
１０１ イグニッションスイッチ（駆動電波出力指令手段）
１０３ ドアロックスイッチ
１０４ リクエストスイッチ
２０３ 車外ブザー（報知手段）
２０４ 車内ブザー（報知手段）
２０５ インジケータ（報知手段）
２０９ イモビライザ
Ａ     盗難防止制御装置
ＫＳ   トランスポンダ駆動電波
ＬＦＳ リクエスト信号
ＯＴＳ トランスポンダ信号
Ｔ１   第１設定時間
Ｔ２   第２設定時間
Ｔｋ   電池切れ判定時間
【図１】
2010137751.tif 000003
【図２】
2010137751.tif 000004
【図３】
2010137751.tif 000005
【図４】
2010137751.tif 000006
【図５】
2010137751.tif 000007
【図６】
2010137751.tif 000008